(57)【要約】【課題】防火性能に優れた建具を提供する。【解決手段】障子を開閉可能に支持する障子支持部を有する窓下枠と、前記窓下枠を支持する窓枠支持部を有し、建物の外壁に設けられた開口に取り付ける支持下枠と、前記窓下枠に取り付けられ、前記障子支持部の屋外側に配置される遮蔽部材と、前記窓下枠に設けられ前記支持下枠との間に配置されて前記窓下枠を支持可能な下枠間部材と、を有する。【選択図】図３
2019157340.tif 000002
【特許請求の範囲】
【請求項１】
障子を開閉可能に支持する障子支持部を有する窓下枠と、
前記窓下枠を支持する窓枠支持部を有し、建物の外壁に設けられた開口に取り付ける支持下枠と、
前記窓下枠に取り付けられ、前記障子支持部の屋外側に配置される遮蔽部材と、
前記窓下枠に設けられ前記支持下枠との間に配置されて前記窓下枠を支持可能な下枠間部材と、
を有することを特徴とする建具。
【請求項２】
請求項１に記載の建具であって、
前記下枠間部材は、前記窓枠支持部の屋外側に配置されることを特徴とする建具。
【請求項３】
請求項１または請求項２に記載の建具であって、
前記支持下枠は、前記窓枠支持部と繋がり前記遮蔽部材よりも屋外側に延出され支持枠延出部を有し、
前記窓下枠は、前記障子支持部と繋がり屋外側に延出された窓枠延出部を有し、
前記下枠間部材は、前記窓枠延出部に取り付けられる窓枠取付部と、
前記窓枠取付部が前記窓下枠に取り付けられて、前記支持枠延出部と上下方向に間隔を空けて対向する支持枠対向部と、を有し、
前記支持枠対向部には、前記支持下枠側に加熱発泡材が設けられていることを特徴とする建具。
【請求項４】
請求項３に記載の建具であって、
前記支持下枠は、前記窓枠支持部よりも屋内側に浸入した水を屋外側に排出可能な支持枠排水孔を有し、
前記支持枠延出部は、前記支持枠排水孔を通して前記窓枠支持部よりも屋内側の部位と繋がり、前記下枠間部材よりも屋外側に延出されて屋外側に向かって低くなる傾斜面をなしていることを特徴とする建具。
【請求項５】
請求項１乃至請求項４のいずれかに記載の建具であって、
前記下枠間部材の、前記支持下枠における長手方向の長さは、当該支持下枠よりも短いことを特徴とする建具。
【請求項６】
請求項５に記載の建具であって、
前記下枠間部材は、前記支持枠排水孔の屋外側に設けられていることを特徴とする建具。
【請求項７】
請求項３乃至請求項６のいずれかに記載の建具であって、
前記窓下枠は、前記障子支持部よりも屋内側に浸入した水を屋外側に排出可能な窓枠排水孔を有し、
前記窓枠延出部は、前記窓枠排水孔を通して前記障子支持部よりも屋内側の部位と繋がり、前記遮蔽部材よりも屋外側に延出されて屋外側に向かって低くなる傾斜面をなし、
前記遮蔽部材の下端と前記窓枠延出部とは、上下方向に間隔が空いていることを特徴とする建具。
【請求項８】
請求項１乃至請求項７のいずれかに記載の建具であって、
前記窓下枠及び前記支持下枠は、アルミニウム製であり、
前記下枠間部材は、アルミニウムよりも融点が高い材料で形成されていることを特徴とする建具。
【発明の詳細な説明】
【技術分野】
【０００１】
本発明は、障子を開閉可能に支持する窓下枠と、窓下枠を支持し建物の外壁に設けられた開口に取り付ける支持下枠と、を有する建具に関する。
【背景技術】
【０００２】
障子を開閉可能に支持する窓下枠と、窓下枠を支持し建物の外壁に設けられた開口に取り付ける支持下枠と、を有する建具としては、例えば、室内外一組の障子を開閉自在に支持する本窓枠と、本窓枠を外壁躯体に固定する支持枠とを有する引き違い窓が知られている（例えば、特許文献１参照）。この引き違い窓は、支持枠が、上支持枠、下支持枠、および左右の縦支持枠を四周枠組みして形成され、本窓枠が、上本窓枠、下本窓枠、および左右の縦本窓枠を四周枠組みして形成されている。そして、支持枠の下支持枠と、本窓枠の下本窓枠とは室内側にて連結部材で連結されるとともに外壁躯体にねじで固定されている。
また、室外側は、下支持枠から上方に延出された部位が、下本窓枠の下面に当接されることにより下支持枠に障子及び本窓枠が支持されている。
【先行技術文献】
【特許文献】
【０００３】
【特許文献１】特開２００５−３２０７４１号公報
【発明の概要】
【発明が解決しようとする課題】
【０００４】
上記引き違い窓は、本窓枠が下支持枠に支持されているので、躯体から離れて上方に位置しており、屋外側においては下支持枠が本窓枠を支持する部位が外部に露出しているため、火災時には下支持枠と下本窓枠とが直接火炎に晒され易く、加熱されて溶融され易い。下支持枠が溶融されると、下本窓枠を支持できなくなり下本窓枠が垂れ下がって障子と上本窓枠との間に隙間が生じる虞や、さらに障子が上本窓枠から外れて脱落してしまう虞がある。また、下本窓枠が溶融されると、障子を支持できなくなり障子が垂れ下がって障子と上本窓枠との間に隙間が生じる虞や、さらに障子が上本窓枠から外れて脱落してしまう虞があり、防火性能を確保できないという課題がある。
本発明は、かかる課題に鑑みてなされたものであり、その目的とするところは、防火性能に優れた建具を提供することにある。
【課題を解決するための手段】
【０００５】
かかる目的を達成するために本発明の建具は、障子を開閉可能に支持する障子支持部を有する窓下枠と、前記窓下枠を支持する窓枠支持部を有し、建物の外壁に設けられた開口に取り付ける支持下枠と、前記窓下枠に取り付けられ、前記障子支持部の屋外側に配置される遮蔽部材と、前記窓下枠に設けられ前記支持下枠との間に配置されて前記窓下枠を支持可能な下枠間部材と、を有することを特徴とする建具である。
【０００６】
このような建具によれば、遮蔽部材が、窓下枠に取り付けられて、障子を支持する障子支持部の屋外側に配置されているので、火災時に障子支持部が屋外側からの火炎に直接晒され難い。また、下枠間部材が窓下枠に設けられて支持下枠との間に配置されているので、火災時に窓枠支持部が屋外側からの火炎により溶融したとしても、窓下枠は下枠間部材により支持される。このため、防火性能に優れた建具を提供することが可能である。
【０００７】
かかる建具であって、前記下枠間部材は、前記窓枠支持部の屋外側に配置されることを特徴とする。
このような建具によれば、下枠間部材が、窓枠支持部の屋外側に配置されているので、火災時に、下枠間部材の屋内側に位置する窓枠支持部が屋外側からの火炎に直接晒されることを抑制することが可能である。
【０００８】
かかる建具であって、前記支持下枠は、前記窓枠支持部と繋がり前記遮蔽部材よりも屋外側に延出され支持枠延出部を有し、前記窓下枠は、前記障子支持部と繋がり屋外側に延出された窓枠延出部を有し、前記下枠間部材は、前記窓枠延出部に取り付けられる窓枠取付部と、前記窓枠取付部が前記窓下枠に取り付けられて、前記支持枠延出部と上下方向に間隔を空けて対向する支持枠対向部と、を有し、前記支持枠対向部には、前記支持下枠側に加熱発泡材が設けられていることを特徴とする。
【０００９】
このような建具によれば、窓下枠に設けられ前記支持下枠との間に配置される下枠間部材は、窓枠取付部が窓下枠に取り付けられて、支持枠延出部と支持枠対向部とが上下方向に間隔が空けられているので、窓下枠と支持下枠とに無用な負荷が作用しない。また、支持枠延出部と上下方向に間隔を空けて対向する支持枠対向部の支持下枠側に加熱発泡材が設けられているので、火災時には、加熱発泡材が発泡することにより支持枠延出部と支持枠対向部との間が閉塞される。このため、火災時に屋外側からの火炎が下枠間部材の屋内側に進入することを防止することが可能である。
【００１０】
かかる建具であって、前記支持下枠は、前記窓枠支持部よりも屋内側に浸入した水を屋外側に排出可能な支持枠排水孔を有し、前記支持枠延出部は、前記支持枠排水孔を通して前記窓枠支持部よりも屋内側の部位と繋がり、前記下枠間部材よりも屋外側に延出されて屋外側に向かって低くなる傾斜面をなしていることを特徴とする。
【００１１】
このような建具によれば、窓枠支持部よりも屋内側に浸入した水を、支持枠排水孔を通し、支持枠延出部の傾斜面を伝わせて下枠間部材よりも屋外側に排出することが可能である。
【００１２】
かかる建具であって、前記下枠間部材の、前記支持下枠における長手方向の長さは、当該支持下枠よりも短いことを特徴とする。
このような建具によれば、下枠間部材の長さは支持下枠よりも短いので、下枠間部材が支持下枠と同じ長さを有している場合よりも軽量であり、コストを抑えることが可能である。
【００１３】
かかる建具であって、前記下枠間部材は、前記支持枠排水孔の屋外側に設けられていることを特徴とする。
このような建具によれば、窓枠支持部よりも屋内側に浸入した水を、支持枠排水孔を通して支持枠延出部の傾斜面を伝わせて屋外側に排出することを可能としつつも、支持枠排水孔の屋外側に設けられている下枠間部材により、屋外側からの火炎が支持枠排水孔から屋内側に進入することを抑制することが可能である。
【００１４】
かかる建具であって、前記窓下枠は、前記障子支持部よりも屋内側に浸入した水を屋外側に排出可能な窓枠排水孔を有し、前記窓枠延出部は、前記窓枠排水孔を通して前記障子支持部よりも屋内側の部位と繋がり、前記遮蔽部材よりも屋外側に延出されて屋外側に向かって低くなる傾斜面をなし、前記遮蔽部材の下端と前記窓枠延出部とは、上下方向に間隔が空いていることを特徴とする。
【００１５】
このような建具によれば、遮蔽部材の下端と窓枠延出部とは上下方向に間隔が空いているので、障子支持部よりも屋内側に浸入した水を、窓枠排水孔を通し、遮蔽部材に妨げられることなく窓枠延出部の傾斜面を伝わせて遮蔽部材よりも屋外側に排出することが可能である。
【００１６】
かかる建具であって、前記窓下枠及び前記支持下枠は、アルミニウム製であり、前記下枠間部材は、アルミニウムよりも融点が高い材料で形成されていることを特徴とする。
このような建具によれば、下枠間部材は、アルミニウムよりも融点が高い材料で形成されているので、建具が火炎に晒されて窓下枠及び支持下枠が溶融したとしても、下枠間部材は溶融しない。このため、防火性能に優れた建具を提供することが可能である。
【発明の効果】
【００１７】
本発明によれば、防火性能に優れた建具を提供することが可能である。
【図面の簡単な説明】
【００１８】
【図１】本実施形態に係る建具を屋外側から見た図である。
【図２】建具の下部を示す縦断面図である。
【図３】図２におけるＢ部拡大図である。
【図４】図１におけるＡ部拡大図である。
【発明を実施するための形態】
【００１９】
以下、本発明の一実施形態に係る建具について図面を参照して説明する。
本実施形態の建具１は、図１、図２に示すように、例えば、屋内側及び屋外側にてスライド可能な２枚の障子１１と、２枚の障子１１及び網戸１２が支持される窓枠２と、窓枠２を躯体１３に取り付けるため支持枠３と、を有している。図１においては網戸１２を省略して示している。
【００２０】
以下の説明においては、建物等に取り付けられている建具１を屋外側から見たときに、上下となる方向を上下方向、左右となる方向を左右方向、屋内外方向を見込み方向として示す。建具１の各部位であっても、また、建具１を構成する各部材については単体の状態であっても、建具１が取り付けられている状態にて上下方向、左右方向、見込み方向にて方向を特定して説明する。
【００２１】
支持枠３は、支持上枠３１、支持下枠３２、左右の支持縦枠３３が矩形状に枠組みされて、建物の外壁１４に設けられた矩形状の建物開口１５に取り付けられている。
【００２２】
図２、図３に示すように、支持下枠３２は、アルミニウム製の押出成形部材であり、外壁１４の屋内側に設けられている躯体１３の、見込み方向における屋外寄りの部位に載置され、外壁１４よりも屋外側に張り出して取り付けられている。
【００２３】
支持下枠３２は、屋内側から屋外側に向かって低くなる傾斜面をなし外壁１４より屋外側に張り出した支持枠延出部３２ａと、支持枠延出部３２ａを躯体１３上にて支持する屋内脚部３２ｂ及び屋外脚部３２ｃと、支持枠延出部３２ａから垂設されて屋外側から躯体１３にねじ止めされるヒレ状の支持枠固定部３２ｄと、支持枠延出部３２ａの屋外側の端から垂設された屋外垂壁部３２ｅと、屋内脚部３２ｂ及び屋外脚部３２ｃの上方に各々延出され窓枠２を支持する屋内窓枠支持部３２ｆ及び屋外窓枠支持部３２ｇと、を有している。
【００２４】
屋内脚部３２ｂは、支持枠延出部３２ａの屋内側の端から垂設されて、見込み方向におけるほぼ中央にて下端が躯体１３の上面に当接しており、屋内窓枠支持部３２ｆは、支持枠延出部３２ａの屋内側の端から上方に延出されている。屋外脚部３２ｃは、屋内脚部３２ｂと支持枠固定部３２ｄとの間に設けられて下端が躯体１３の上面に当接しており、屋外窓枠支持部３２ｇは、屋外脚部３２ｃ上の支持枠延出部３２ａの上面から上方に延出されている。
【００２５】
屋外窓枠支持部３２ｇには、左右方向における両端部側に各々、屋外窓枠支持部３２ｇの屋内側と屋外側とを連通し、屋外窓枠支持部３２ｇよりも屋内側に浸入した水を屋外側に排出可能な支持枠排水孔３２ｈが設けられている。支持枠延出部３２ａは、支持枠排水孔３２ｈにより屋内側の部位と屋外側の部位とが繋がっている。
【００２６】
支持枠排水孔３２ｈには、支持枠排水孔３２ｈを閉塞可能に揺動する支持枠揺動片１６ａを備えた合成樹脂製の支持枠排水部品１６が嵌合されている。支持枠排水部品１６の支持枠揺動片１６ａは、屋外側からの風などにより付勢された場合には支持枠排水部品１６が形成する支持枠側開孔１６ｂを閉塞し、屋内側の水が屋外側に流れる際には、屋外側に揺動して支持枠側開孔１６ｂが開放されるように構成されている。
【００２７】
窓枠２は、窓上枠２１、窓下枠２２、左右の窓縦枠２３が矩形状に枠組みされて、支持枠３の内周側に設けられている。
窓下枠２２は、外壁面１４ａよりも屋内側に配置され、屋内側の端部が、建物開口１５を形成する躯体１３の内周側に設けられた額縁１７に固定されている。窓下枠２２は、内障子１１を案内する内レール２２ａと、外障子１１を案内する外レール２２ｂと、網戸１２を案内する網戸レール２２ｃと、を有しており、内レール２２ａと外レール２２ｂとの間に合成樹脂が介在されて一体成型されたアルミニウム製の押出成形部材である。
【００２８】
外レール２２ｂと網戸レール２２ｃの下端とは水平面をなすレール連結部２２ｄにて連結されており、レール連結部２２ｄにおいて外レール２２ｂより僅かに屋外側から垂設されて屋外支持部２２ｅが設けられている。内レール２２ａの下端部からは、合成樹脂の部位２２ｆを介して屋外側に向かって低くなる傾斜面を有する窓枠上延出部２２ｇが、屋外支持部２２ｅより屋外側まで延出されており、窓枠上延出部２２ｇの屋外側の端には下方に延出された屋外延出壁部２２ｈが設けられている。
【００２９】
窓枠上延出部２２ｇの合成樹脂の部位２２ｆの端には、下方に垂設されて支持下枠３２の屋内窓枠支持部３２ｆに支持される窓枠屋内被支持部２２ｉが設けられている。窓枠屋内被支持部２２ｉの下端部側と屋外延出壁部２２ｈとは、窓枠連結部２２ｊにより連結され、屋外延出壁部２２ｈ、窓枠延上出部２２ｇ、窓枠屋内被支持部２２ｉ、及び、窓枠連結部２２ｊにより長手方向に貫通する中空部２２ｎが形成されて剛性が高められている。中空部２２ｎの下面をなす窓枠連結部２２ｊは、支持下枠３２の屋外窓枠支持部３２ｇにより支持されている。
【００３０】
屋外延出壁部２２ｈの下端からは、窓枠連結部２２ｊと繋がるように屋外側に延出され、屋外側に向かって低くなる傾斜面をなす窓枠下延出部２２ｋが設けられている。窓枠下延出部２２ｋの先端は、見込み方向において網戸レール２２ｃと同じ位置にて垂設された屋外垂設部２２ｌと、屋外垂設部２２ｌの下端が屋内側に延出された屋内延出片２２ｍと、を有している。ここで、窓枠延上出部２２ｇ、屋外延出壁部２２ｈ、及び、窓枠下延出部２２ｋが、窓枠支持部と繋がり屋外側に延出された窓枠延出部に相当する。
【００３１】
屋外支持部２２ｅには、左右方向における両端部側に各々、屋外支持部２２ｅの屋内側と屋外側とを連通し、屋外支持部２２ｅよりも屋内側に浸入した水を屋外側に排出可能な窓枠排水孔２２ｏが設けられている。窓枠上延出部２２ｇは、窓枠排水孔２２ｏにより屋内側の部位と屋外側の部位とが繋がっている。
【００３２】
屋外支持部２２ｅと屋外延出壁部２２ｈとが繋がっている部位の屋外側には、窓枠排水孔２２ｏから排出される水を屋外側に流す流路をなし屋外に臨む窓枠側開孔１８ａと、窓枠側開孔１８ａを閉塞可能に揺動する窓枠揺動片１８ｂを備えた合成樹脂製の窓枠排水部品１８が設けられている。窓枠排水部品１８は、窓下枠２２のレール連結部２２ｄにおいて屋外支持部２２ｅより屋外側に設けられた下突部２２ｐと、屋外支持部２２ｅとの間に係合されている。
【００３３】
窓枠排水部品１８の窓枠揺動片１８ｂは、屋外側からの風などにより付勢された場合には窓枠側開孔１８ａを閉塞し、屋内側の水が屋外側に流れる際には、屋外側に揺動して窓枠側開孔１８ａが開放されるように構成されている。
【００３４】
２枚の障子１１はいずれも、複層ガラス１１ａと、複層ガラス１１ａの外周部を収容し矩形状をなして戸車１１ｂを有する框体１１ｃと、を備え、窓枠２が有する内レール２２ａ及び外レール２２ｂに戸車１１ｂが支持されつつ案内されるとともに窓枠２により形成される窓開口を開閉自在に設けられている。２枚の障子１１及び網戸１２と窓枠２とは、支持枠３を用いることなく適宜な大きさの建物開口１５に直接取り付ける建具としても使用可能である。
【００３５】
本実施形態の建具１には、火災時に窓下枠２２の屋外延出壁部２２ｈ及び屋外支持部２２ｅと、窓枠下延出部２２ｋにおいて屋外延出壁部２２ｈと屋外支持部２２ｅとを繋ぐ部位とを火炎から遮蔽する遮蔽部材４と、屋外窓枠支持部３２ｇが溶融しても窓枠２及び障子１１を支持する状態を維持するための下枠間部材５と、が設けられている。ここで、屋外延出壁部２２ｈ及び屋外支持部２２ｅと、窓枠下延出部２２ｋにおいて屋外延出壁部２２ｈと屋外支持部２２ｅとを繋ぐ部位とが障子１１を支持する障子支持部に相当する。
【００３６】
遮蔽部材４は、窓下枠２２のレール連結部２２ｄの下に配置されてレール連結部２２ｄにねじ止めされている。遮蔽部材４は、アルミニウム製の押出成型部材でなる遮蔽部材本体４０と、遮蔽部材本体４０に貼り付けられた加熱発泡材としての熱膨張性黒鉛６と、を有している。遮蔽部材本体４０及び熱膨張性黒鉛６は窓下枠２２における左右方向の長さと同じ長さに形成されている。
【００３７】
遮蔽部材本体４０は、網戸レール２２ｃの屋外側の面と同一面を形成する屋外壁部４０ａと、窓枠排水部品１８が係合される下突部２２ｐが挿入される凹部４０ｂと、凹部４０ｂより屋内側に延出されてレール連結部２２ｄの下面に当接されるとともに、上方から進入するねじ７によりレール連結部２２ｄに固定される遮蔽部材固定部４０ｃと、を有している。
【００３８】
屋外壁部４０ａは、当該屋外壁部４０ａと屋外支持部２２ｅとの間に設けられる窓枠排水部品１８が有する窓枠揺動片１８ｂの上縁と同じ位置まで延出されている。すなわち、図３、図４に示すように、屋外壁部４０ａの下縁と、窓枠下延出部２２ｋとは上下方向に間隔が空けられている。尚、図４においては、遮蔽部材４に網掛けを施し他の部材と区別して示している。また、遮蔽部材本体４０の下端部は、屋内側に突出する下端突起４０ｄが設けられており、屋外壁部４０ａの屋内側の面に、下端突起４０ｄに沿わせて熱膨張性黒鉛６が貼り付けられている。
【００３９】
下枠間部材５は、断面ほぼコ字状をなすステンレス製の本体部材５０と、本体部材５０の下面に設けられた熱膨張性黒鉛６と、を有し、窓下枠２２の窓枠下延出部２２ｋの屋外側の部位と支持枠延出部３２ａとの間に設けられている。下枠間部材５の、支持下枠３２における長手方向の長さは、当該支持下枠３２よりも短く、図１、図４に示すように、屋外窓枠支持部３２ｇの左右方向における両端部側に設けられている支持枠排水孔３２ｈの屋外側にて見込み方向において重なる位置と、左右方向におけるほぼ中央とに配置されている。
【００４０】
本体部材５０は、窓枠下延出部２２ｋと対向し当該窓枠下延出部２２ｋに両面テープにて貼り付けられる窓枠取付部５０ａと、窓枠取付部５０ａが窓下枠２２に貼り付けられた状態で支持枠延出部３２ａと対向する支持枠対向部５０ｂと、窓枠取付部５０ａと支持枠対向部５０ｂとの屋内側の縁を上下方向に繋ぐ連結壁部５０ｃと、を有し、支持枠対向部５０ｂの下面に熱膨張性黒鉛６が貼り付けられている。
【００４１】
熱膨張性黒鉛６は、窓枠取付部５０ａが窓下枠２２に貼り付けられた状態で、支持枠延出部３２ａの上面と上下方向に間隔が空けられている。また、下枠間部材５は、支持下枠３２及び窓下枠２２が建物に既に取り付けられた後であっても、窓枠下延出部２２ｋに取り付けることができるように構成されている。支持下枠３２及び窓下枠２２が建物に既に取り付けられている場合には、窓枠取付部５０ａが支持枠対向部５０ｂより屋内側に位置するように傾けた状態にて、窓枠取付部５０ａを屋外垂設部２２ｌの屋内側に配置し、窓枠取付部５０ａの端部を屋外垂設部２２ｌ側に移動させつつ支持枠対向部５０ｂを屋内側に移動させることにより下枠間部材５を回転させて取り付ける。このため、窓枠下延出部２２ｋと支持枠延出部３２ａとの間にて下枠間部材５を回転させることができるように、窓枠取付部５０ａが窓下枠２２に貼り付けられた状態で、支持枠延出部３２ａの上面と熱膨張性黒鉛６とは上下方向に間隔が空けられている。
【００４２】
本実施形態の建具１によれば、遮蔽部材４が、窓下枠２２に取り付けられて、障子１１を支持する障子支持部、すなわち、屋外延出壁部２２ｈ及び屋外支持部２２ｅと、窓枠下延出部２２ｋにおいて屋外延出壁部２２ｈと屋外支持部２２ｅとを繋ぐ部位の屋外側に配置されているので、火災時に屋外延出壁部２２ｈ及び屋外支持部２２ｅと、窓枠下延出部２２ｋにおいて屋外延出壁部２２ｈと屋外支持部２２ｅとを繋ぐ部位が屋外側からの火炎に直接晒され難い。また、下枠間部材５が窓下枠２２に設けられて支持下枠３２との間に配置されているので、火災時に屋外窓枠支持部３２ｇが屋外側からの火炎により溶融したとしても、窓下枠２２は下枠間部材５により支持される。このため、防火性能に優れた建具１を提供することが可能である。
【００４３】
また、下枠間部材５が、屋外窓枠支持部３２ｇの屋外側に配置されているので、火災時に、下枠間部材５の屋内側に位置する屋外窓枠支持部３２ｇが屋外側からの火炎に直接晒されることを抑制することが可能である。
【００４４】
また、窓下枠２２に設けられ支持下枠３２との間に配置される下枠間部材５は、窓枠取付部５０ａが窓下枠２２に取り付けられて、支持枠延出部３２ａと支持枠対向部５０ｂとが上下方向に間隔が空けられているので、窓下枠２２と支持下枠３２とに無用な負荷が作用しない。また、支持枠延出部３２ａと上下方向に間隔を空けて対向する支持枠対向部５０ｂの支持下枠３２側に熱膨張性黒鉛６が設けられているので、火災時には、熱膨張性黒鉛６が発泡することにより支持枠延出部３２ａと支持枠対向部５０ｂとの間が閉塞される。このため、火災時に屋外側からの火炎が下枠間部材５の屋内側に進入することを防止することが可能である。
【００４５】
また、支持枠延出部３２ａは、支持枠排水孔３２ｈを通して窓枠支持部３２ｇよりも屋内側の部位と繋がり、下枠間部材５よりも屋外側に延出されて屋外側に向かって低くなる傾斜面をなしているので、窓枠支持部３２ｇよりも屋内側に浸入した水を、支持枠排水孔３２ｈを通し、支持枠延出部３２ａの傾斜面を伝わせて下枠間部材５よりも屋外側に排出することが可能である。
【００４６】
また、下枠間部材５の長さは支持下枠３２よりも短いので、下枠間部材５が支持下枠３２と同じ長さを有している場合よりも軽量であり、コストを抑えることが可能である。
【００４７】
また、下枠間部材５は、支持枠排水孔３２ｈの屋外側に設けられているので、窓枠支持部３２ｇよりも屋内側に浸入した水を、支持枠排水孔３２ｈを通して支持枠延出部３２ａの傾斜面を伝わせて屋外側に排出することを可能としつつも、支持枠排水孔３２ｈの屋外側に設けられている下枠間部材５により、屋外側からの火炎が支持枠排水孔３２ｈから屋内側に進入することを抑制することが可能である。
【００４８】
また、遮蔽部材４の下端突起４０ｄと窓枠下延出部２２ｋとは上下方向に間隔が空いているので、屋外支持部２２ｅよりも屋内側に浸入した水を、窓枠排水孔２２ｏを通し、遮蔽部材４に妨げられることなく窓枠下延出部２２ｋの傾斜面を伝わせて遮蔽部材４よりも屋外側に排出することが可能である。
【００４９】
また、下枠間部材５は、アルミニウムよりも融点が高いステンレス製なので、建具１が火炎に晒されて窓下枠２２及び支持下枠３２が溶融したとしても、下枠間部材５は溶融しない。このため、防火性能に優れた建具１を提供することが可能である。ここで、下枠間部材５は、ステンレス製に限るものではなく、アルミニウムよりも融点が高い材料により形成されていれば構わない。
【００５０】
上記実施形態においては、支持下枠３２の長さより短い下枠間部材５が、屋外窓枠支持部３２ｇの左右方向における両端部側に設けられている支持枠排水孔３２ｈの屋外側にて見込み方向において重なる位置と、左右方向におけるほぼ中央とに配置されている例について説明したが、これに限るものではない。例えば、障子１１を閉じた状態で、障子１１に設けられた戸車１１ｂの下方に配置しても良い。
【００５１】
上記実施形態においては、下枠間部材５の長さが支持下枠３２よりも短い形態を例に挙げて説明したが、下枠間部材５が支持下枠３２と同じ長さを有し、支持下枠３２の全長に渡るように設けられていてもよい。この場合には、下枠間部材５により、窓枠支持部３２ｇを火炎から遮蔽することが可能である。
【００５２】
上記実施形態においては、スライド可能な２枚の障子１１及び網戸１２が支持される窓枠２と、窓枠２を躯体１３に取り付けるため支持枠３と、を有する引き違い窓用の建具１を例に挙げて説明したが、窓の種類は引き違い窓に限るものではない。
【００５３】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５４】
１  建具、４  遮蔽部材、５  下枠間部材、６  熱膨張性黒鉛、
１１  障子（内障子、外障子）、１４  建物の外壁、１５  建物開口、２２  窓下枠、
２２ｅ  屋外支持部、２２ｈ  屋外延出壁部、２２ｇ  窓枠上延出部、
２２ｋ  窓枠下延出部、２２ｏ  窓枠排水孔、３２  支持下枠、
３２ａ  支持枠延出部、３２ｈ  支持枠排水孔、４０ｄ  下端突起、
５０ａ  窓枠取付部、５０ｂ  支持枠対向部、
【図１】
2019157340.tif 000003
【図２】
2019157340.tif 000004
【図３】
2019157340.tif 000005
【図４】
2019157340.tif 000006